(57)【要約】【課題】キャリアアグリゲーションをサポートする無線通信システムにおいて複数のセルで報知（Broadcast）されるシステム情報を適用するとき、既存の技術は単一セル動作に関するＳＩがキャリアアグリゲーション動作について制限的になりすぎる場合があるという点で柔軟性を提供しない。【解決手段】本発明は、キャリアアグリゲーションをサポートし、少なくとも２つのセルにおいてシステム情報を同報するように構成された無線基地局を備える無線通信システムにおける方法及び装置に関する。ユーザ機器についての方法は、無線基地局から少なくとも２つのセルのアグリゲーションのための構成情報を受信するステップと、少なくとも２つのセルのうちの第１セルが残りのセルの状態とは異なる状態を有することを示す構成規則に基づいて、少なくとも２つのセルのうちの第１セルを識別するステップと、識別したセルにおいてのみ、同報されたシステム情報を読み取るステップとを有する。【選択図】図４
2015164352.tif 000002
【特許請求の範囲】
【請求項１】
キャリアアグリゲーションをサポートする無線通信システムにおけるユーザ機器のための方法であって、前記システムは少なくとも２つのセルにおいてシステム情報を報知するように構成された無線基地局を備え、前記方法は、
前記無線基地局から前記少なくとも２つのセルのアグリゲーションのための構成情報を受信するステップ（４１０）と、
前記少なくとも２つのセルのうちの第１のセルが残りのセルの状態とは異なる状態を有することを示す構成規則に基づいて、前記少なくとも２つのセルのうちの前記第１のセルを識別するステップ（４２０）であって、前記受信された構成情報は前記少なくとも２つのセルのうちのどの１つのセルが前記異なる状態を有するかの表示を含む、ステップと、
前記識別された第１のセルにおいてのみ、前記報知されたシステム情報を読み取るステップ（４３０）と、
その後に、前記識別された第１のセルの状態の変化を示す信号を前記無線基地局から受信するステップと、
前記受信された信号に応じて、前記少なくとも２つのセルのうち、残りのセルの状態とは異なる状態を有する第２のセルを識別するステップと、
前記識別された第２のセルにおいてのみ、前記報知されたシステム情報を読み取るステップと
を備えることを特徴とする方法。
【請求項２】
前記読み取られたシステム情報から取得された少なくとも１つのパラメータに従うステップ（４４０）をさらに備えることを特徴とする請求項１に記載の方法。
【請求項３】
前記受信された構成情報は前記構成規則を含むことを特徴とする請求項１または２に記載の方法。
【請求項４】
前記識別された第１のセルおよび第２のセルのそれぞれはプライマリセルであることを特徴とする請求項１乃至３いずれかに記載の方法。
【請求項５】
前記受信された構成情報は、前記残りのセルにおいて報知されたシステム情報を置換する構成パラメータを含むことを特徴とする請求項１乃至４いずれかに記載の方法。
【請求項６】
前記構成情報は専用のメッセージにおいて受信されることを特徴とする請求項１乃至５いずれかに記載の方法。
【請求項７】
キャリアアグリゲーションをサポートする無線通信システムにおける無線基地局のための方法であって、前記無線基地局は集約された少なくとも２つのセルにおいてユーザ機器へデータを送信することが可能であり、前記方法は、
前記少なくとも２つのセルにおいてシステム情報を報知するステップ（５１０）と、
前記ユーザ機器へ前記少なくとも２つのセルのアグリゲーションのための構成情報を送信するステップ（５２０）であって、前記構成情報は前記少なくとも２つのセルのうちの第１のセルが残りのセルの状態とは異なる状態を有することを示す構成規則を含み、異なる状態を有する前記第１のセルにおいてのみ、前記ユーザ機器が前記報知されたシステム情報を読み取るために、前記構成情報は前記少なくとも２つのセルのうちのどのセルが前記異なる状態を有するかの表示を含む、ステップと、
その後に、前記第１のセルの状態の変化を示す信号を送信するステップであって、前記信号は、当該信号に応じて前記少なくとも２つのセルのうち残りのセルの状態とは異なる状態を有する第２のセルにおいてのみ前記ユーザ機器が前記報知されたシステム情報を読み取るために、前記ユーザ機器が前記第２のセルを識別できるようにする、ステップと
を備えることを特徴とする方法。
【請求項８】
前記異なる状態を有するセルはプライマリセルであることを特徴とする請求項７に記載の方法。
【請求項９】
前記送信された構成情報は、前記残りのセルにおいて報知されたシステム情報を置換する構成パラメータを含むことを特徴とする請求項７または８に記載の方法。
【請求項１０】
前記構成情報は専用のメッセージにおいて送信されることを特徴とする請求項７乃至９いずれかに記載の方法。
【請求項１１】
キャリアアグリゲーションをサポートする無線通信システムにおいて用いられるように構成されたユーザ機器（１５０）であって、前記システムは少なくとも２つのセルにおいてシステム情報を報知するように構成された無線基地局を備え、前記ユーザ機器は、
前記無線基地局から前記少なくとも２つのセルのアグリゲーションのための構成情報を受信するように適合された受信部（１５１）と、
前記少なくとも２つのセルのうちの第１のセルが前記少なくとも２つのセルの残りのセルの状態とは異なる状態を有することを示す構成規則に基づいて、前記少なくとも２つのセルのうちの前記第１のセルを識別するように適合された識別部（１５２）であって、前記受信された構成情報は前記少なくとも２つのセルのうちのどの１つのセルが前記異なる状態を有するかの表示を含む、識別部と、
前記識別された第１のセルにおいてのみ、前記報知されたシステム情報を読み取るように適合された読み取り部（１５３）と
を備え、
前記受信部は、その後に、前記識別された第１のセルの状態の変化を示す信号を前記無線基地局から受信するようにさらに構成され、
前記識別部は、前記受信された信号に応じて、前記少なくとも２つのセルのうち残りのセルの状態とは異なる状態を有する第２のセルを識別するようにさらに構成され、
前記読み取り部は、前記識別された第２のセルにおいてのみ、前記報知されたシステム情報を読み取るようにさらに構成された
ことを特徴とするユーザ機器。
【請求項１２】
前記読み取られたシステム情報から取得された少なくとも１つのパラメータに従うように適合された構成部（１５４）をさらに備えたことを特徴とする請求項１１に記載のユーザ機器。
【請求項１３】
前記受信された構成情報は前記構成規則を含むことを特徴とする請求項１１または１２に記載のユーザ機器。
【請求項１４】
前記識別された第１のセルおよび第２のセルのそれぞれはプライマリセルであることを特徴とする請求項１１乃至１３いずれかに記載のユーザ機器。
【請求項１５】
前記受信された構成情報は、前記残りのセルにおいて報知されたシステム情報を置換する構成パラメータを含むことを特徴とする請求項１１乃至１４いずれかに記載のユーザ機器。
【請求項１６】
前記構成情報は専用のメッセージにおいて受信されることを特徴とする請求項１１乃至１５いずれかに記載のユーザ機器。
【請求項１７】
キャリアアグリゲーションをサポートする無線通信システムにおいて用いられるように構成され、集約された少なくとも２つのセルにおいてユーザ機器へデータを送信することができる無線基地局（１１０）であって、
前記少なくとも２つのセルにおいてシステム情報を報知するように適合された報知部（１１１）と、
前記ユーザ機器へ前記少なくとも２つのセルのアグリゲーションのための構成情報を送信するように適合された送信部（１１２）であって、前記構成情報は前記少なくとも２つのセルのうちの第１のセルが残りのセルの状態とは異なる状態を有することを示す構成規則を含み、異なる状態を有する前記第１のセルにおいてのみ、前記ユーザ機器が前記報知されたシステム情報を読み取るために、前記構成情報は前記少なくとも２つのセルのうちのどのセルが前記異なる状態を有するかの表示を含む、送信部と
を備え、
前記送信部は、その後に、前記第１のセルの状態の変化を示す信号を送信するようにさらに構成され、前記信号は、当該信号に応じて前記ユーザ機器が前記少なくとも２つのセルのうち残りのセルの状態とは異なる状態を有する第２のセルにおいてのみ前記報知されたシステム情報を読み取るために、前記ユーザ機器が前記第２のセルを識別できるようにすることを特徴とする無線基地局。
【請求項１８】
前記異なる状態を有するセルはプライマリセルであることを特徴とする請求項１７に記載の無線基地局。
【請求項１９】
前記送信された構成情報は、前記残りのセルにおいて報知されたシステム情報を置換する構成パラメータを含むことを特徴とする請求項１７または１８に記載の無線基地局。
【請求項２０】
前記構成情報は専用のメッセージにおいて送信されることを特徴とする請求項１７乃至１９いずれかに記載の無線基地局。
【発明の詳細な説明】
【技術分野】
【０００１】
本発明は一般的にキャリアアグリゲーションをサポートする無線通信システムにおける方法及び装置に関する。特に、集約された複数のセルにおいて報知されるシステム情報を送信し適用するための方法及び装置に関する。
【背景技術】
【０００２】
汎用移動通信システム（ＵＭＴＳ）はＧＳＭ（登録商標）を後継するように設計された３Ｇ移動体通信技術の１つである。３ＧＰＰロングタームエボリューション（ＬＴＥ）は、高データレート、効率性向上及びコスト低減のようなサービス向上の観点で将来の要件に対応すべくＵＭＴＳ標準を改良するための第３世代パートナシッププロジェクト（３ＧＰＰ）内のプロジェクトである。汎用地上波無線アクセスネットワーク（ＵＴＲＡＭ）はＵＭＴＳシステムの無線アクセスネットワークであり、発展型ＵＴＲＡＮ（Ｅ−ＵＴＲＡＮ）はＬＴＥシステムの無線アクセスネットワークである。図１に説明されるように、無線アクセスネットワークは典型的に無線基地局（ＲＢＳ）１１０ａ〜ｃに無線接続されたユーザ機器（ＵＥ）１５０を備え、無線基地局（ＲＢＳ）１１０ａ〜ｃはＵＴＲＡＮでは一般にノードＢ（ＮＢ）と呼ばれ、Ｅ−ＵＴＲＡＮでは一般にｅノードＢ（ｅＮＢ）と呼ばれる。
【０００３】
３ＧＰＰ標準のリリース８（Ｒｅｌ−８）に従うＥ−ＵＴＲＡは２０ＭＨｚまでの帯域幅をサポートする。しかしながら、この標準の将来のリリースの要件の１つでは、２０ＭＨｚを超える帯域幅をサポートすることが期待される。このようなリリースに関するさらに重要な要件はＲｅｌ−８との後方互換性を保証することである。これはまた、スペクトラム互換性を含むべきである。これは、２０ＭＨｚよりも広い将来のリリースのキャリアがＲｅｌ−８版ＵＥに複数のＲｅｌ−８版キャリアとして見えるべきであることを暗に示すだろう。このようなキャリアのそれぞれは、コンポーネントキャリア（ＣＣ）と呼ばれることもある。特に、将来のリリースの初期の展開について、多くのレガシーＲｅｌ−８版ＵＥに比べて少数の将来リリース版ＵＥが存在するだろうことが予想されうる。従って、レガシーＵＥについても幅広いキャリアの効率的な使用を保証することが必要となる。すなわち、広帯域な将来リリース版キャリアのすべての部分においてレガシーＵＥがスケジューリングされうるようにキャリアを実装できることが必要である。
【０００４】
これを得るための率直な方法はキャリアアグリゲーションを利用することであろう。キャリアアグリゲーションは将来リリース版ＵＥが複数のＣＣで送受信でき、ＣＣはリリース８版キャリアと同じ構造を有するか、少なくともその可能性を有することを暗に示す。キャリアアグリゲーションは図２ａに説明され、この図ではそれぞれ２０ＭＨｚ帯域幅である５つのＣＣ２１０が１００ＭＨｚの集約帯域幅２２０を形成するように集約されている。キャリアアグリゲーションは３ＧＰＰ  ＬＴＥ標準のリリース１０（Ｒｅｌ−１０）で計画されている。
【０００５】
キャリアは図２ａに説明されるように連続的に集約されても良いし、（スペクトラムアグリゲーションと呼ばれることもある）周波数領域における不連続な部分から集約されても良い。図２Ｂは不連続なキャリアを用いる例を概略的に説明する。
【０００６】
キャリアアグリゲーションの概念では、とりわけ以下のものをサポートすることが可能でありうる。
‐高ビットレート。
‐不連続なスペクトラムのファーミング。すなわち、事業者が連続なスペクトラムを欠いている場合にも高ビットレート及び良好なキャパシティを提供すること。
‐キャリア間の高速且つ効率的な負荷均等化。
【０００７】
ＬＴＥのキャリアアグリゲーション又はスペクトラムアグリゲーションは、ＵＴＲＡＮにおける１つ以上のキャリアが組み合わされるデュアルキャリア又はマルチキャリア（ＤＣ又はＭＣ）  ＨＳＰＡのような概念と類似性を有する。
【０００８】
１つのＵＥが例えば図２ｂにおける左端の２つのＣＣ（２３０）を用いるように構成されてもよく、別のＵＥが図２ｂにおける右端のＣＣ（２５０）のような単一のＣＣだけを用いるように構成されてもよく、第３ＵＥが図２ｂに図示されるＣＣ（２３０、２４０、２５０）のすべてを用いるように構成されても良い点で、キャリアアグリゲーションはＵＥ中心の概念として見なされうることに留意されるべきである。よって、ＵＥは、同一の周波数帯内の特定の周波数のキャリア上のコンポーネントキャリア（ＣＣ）で構成されても良いし、異なる周波数帯内のもので構成されても良い。複数の上りリンク（ＵＬ）ＣＣ及び下りリンク（ＤＬ）ＣＣが互いに独立に構成されても良い。これは、３ＧＰＰ  ＬＴＥ標準のＲｅｌ−８、９のようにＵＬ／ＤＬペアとして構成される必要がないことを意味する。構成されたＵＬ  ＣＣの個数が、構成されたＤＬ  ＣＣの個数と異なる非対称構成が可能である。
【０００９】
まず、ＵＥは初期ランダムアクセスを行うための１つのＵＬ／ＤＬ  ＣＣペアで構成されるだろう。これらのＣＣはプライマリコンポーネントキャリア（ＰＣＣ）と呼ばれる。ＵＬ／ＤＬ  ＰＣＣペアに追加して、ｅＮＢは必要ならば、いわゆるセカンダリコンポーネントキャリア（ＳＣＣ）である追加のＣＣでＵＥを構成しても良い。
【００１０】
従来、キャリアとは、ＵＬ及び／又はＤＬにおいて送信に用いられうる周波数スペクトラムの一部分のことである。セルの概念は通常、ＵＥによって一意に識別されうる無線ネットワークオブジェクトを表すために用いられる。例えばＵＴＲＡＮでは、１つのＵＴＲＡＮアクセスポイントから地理的エリアに報知（broadcast）されるセル識別情報のおかげでセルが識別される。典型的に、セルは、ＦＤＤではＵＬキャリアとＤＬキャリアとの単一のペアに関連し、モードがＴＤＤならばＵＬリソースとＤＬリソースとの両方を提供する単一のキャリアに関連する。セルが互いに物理的に分離されている限り、１つのキャリアに関連する複数のセルが存在しうる。これは、例えば隣接ｅＮＢがそれぞれ同一のキャリアにセルを実装する場合である。
【００１１】
上述のように、ｅ−ＵＴＲＡＮの将来のリリースは、より広い帯域幅又は周波数スペクトラムのサポートを取り入れ、互換性の理由で、追加の帯域幅は、いわゆるコンポーネントキャリア（ＣＣ）である例えば２０ＭＨｚの集約される追加のキャリアとして見られうる。しかしながら、セルが所定のＣＣに関連する無線ネットワークオブジェクトであるという概念、すなわちＵＥによってセルが識別されうるという概念を適用することによって、接続モードでキャリアアグリゲーションを使用するＵＥは、集約された複数のセル、すなわち（上記でＰＣＣと呼ばれ、Ｐセル、プライマリサービングセル及びサービングセルのような表記も用いられうる）１つのプライマリセルと、（上記でＳＣＣと呼ばれ、Ｓセル、セカンダリサービングセル及びセカンダリセルのような表記も用いられうる）セカンダリセルの別の集合の一部である追加で構成されたＣＣとに接続されるものとしても示されうる。
【００１２】
ＬＴＥでは、Ｒｅｌ−８後方互換のキャリアのアグリゲーションを含む多くの異なるシナリオ及びキャリアタイプが検討されている。後方非互換な拡張キャリアも検討されている。このようなキャリアはＲｅｌ−８版端末に利用可能でないかもしれない。もっともらしいキャリアアグリゲーションのシナリオの特定且つ関連する例は、２つ以上のＲｅｌ−８版下りリンクキャリア／セルがＵＥのために集約される場合を含む。キャリアアグリゲーションは典型的に、そして主に、ｅＮＢとの伝送に能動的に関与するＵＥであり、それ故、集約されたキャリア／セルを制御するｅＮＢと接続を有するＵＥである接続ＵＥに関連する。
【００１３】
よって、集約されたキャリア／セルはＲｅｌ−８版ＵＥに利用可能であってもよく、これはキャリア／セルのそれぞれが単一セル動作について独立に利用可能であっても良いことを意味する。このような単一セル動作は、ＵＥが典型的にインアクティブである場合に留まるアイドルモードキャンピングと、単一セルモードにおける接続モード動作とを含む。従って、これらのＲｅｌ−８互換キャリア／セルは、ＵＥがシステム情報（ＳＩ）で報知されるパラメータによって設定される規則に従って例えばアイドルモードキャンピング及びセル選択を実行しうるように、セルにおいて報知されるＳＩを提供しなければならない。Ｒｅｌ−８版キャリア／セルのそれぞれにおいて報知されなければならない特定の関連物の他の集合は、以下のものに関連するパラメータであるがこれらに限定されない。
‐ランダムアクセス（ＲＡ）及びＲＡチャネル（ＲＡＣＨ）パラメータ。すなわち、ＵＥがどのようにセルにアクセスすべきかを規定する共通パラメータ。
‐ＵＬパラメータ。すなわち、例えばＵＬ帯域幅、周波数、ＰＵＣＣＨ（物理上りリンク制御チャネル）及びＰＵＳＣＨ（物理上りリンク共有チャネル）に関連する共通パラメータ。
‐ＤＬパラメータ。すなわち、例えばＰＦＩＣＨ（物理制御フォーマットインジケータチャネル）、ＰＤＳＣＨ（物理下りリンク共有チャネル）、ページング情報及びＤＬ周波数及び帯域幅に関連する共通パラメータ。
‐セル固有のタイマ及び定数。
【００１４】
ＳＩはまた、セル及び無線アクセス技術（ＲＡＴ）の選択に関するパラメータ集合を含む。「共通パラメータ」は、仕様書における特定の規則に従う、セル内の多く又は全てのＵＥが取得する必要のあるパラメータを示すために用いられる。このような共通パラメータは典型的に多くにＵＥによって読み取られて用いられる。この汎用規則からの逸脱が指定されても良い。
【００１５】
Ｒｅｌ−８では、接続モードのＵＥに関するＳＩはマスタ情報ブロック（ＭＩＢ）及び先頭の２つのシステム情報ブロック（ＳＩＢ１、ＳＩＢ２）において配布される。３ＧＰＰ標準で指定されるように、この要求されるＳＩの更新情報をＵＥが維持すべきであることが指定されても良い。ＳＩが変わる場合に、ＵＥは必要なＳＩを再取得するために様々な手段で通知される。
【００１６】
後方非互換キャリア／セルがアイドルモードキャンピング及び単一セル動作に利用可能でありうることも可能である。この場合に、これらのキャリア／セルも上述の場合と同様にセル固有パラメータの集合を有するＳＩを報知しなければならない。
【００１７】
セルのＤＬは典型的に、ＤＬとＵＬとの両方に関連するパラメータを含む、このセルに関連するＳＩパラメータの報知を含む。技術的に、上述のパラメータに追加して、第１セルのＤＬで第２セルに関連するパラメータを報知することも可能だろう。しかしながら、第２セルに関連するパラメータはしばしば第２セルのＤＬでも報知されるはずであるので、このような解決策は好適ではないかもしれない。この重複は望ましくなく、従って３ＧＰＰはＲｅｌ−１０において第１セルにおいて第２セルに関する情報を報知しないことに合意した。
【００１８】
図３ａのシグナリング図で説明される典型的なユースケースでは、ＵＥ３１０はまずプライマリセルとも呼ばれる単一のセルに接続され、続いてＲｅｌ−８から知られているものと同様のＲＲＣ接続設定手順３０１を行う。その後にのみ、ｅＮＢ３２０は、様々な基準に基づいて、集約された複数のキャリア／セルでの受信（ＤＬ）及び送信（ＵＬ）についてＵＥ３１０を構成することを決定しても良い。これは、ＵＥが使用を考慮に入れることが想定される追加のＵＬ  ＣＣ及びＤＬ  ＣＣに関する情報を含む構成メッセージをｅＮＢ３２０が送信しても良いことを意味する。当該構成メッセージは典型的にはＲＲＣ接続再構成メッセージ３０２である。ＵＥは典型的にＲＲＣ接続再構成完了メッセージ３０３を用いて構成メッセージに応答する。
【００１９】
このような接続モードのＵＥは、この段階で非常に広い帯域幅まで集約されうる複数のＵＬ  ＣＣ及びＤＬ  ＣＣの知識を有し、ＵＥはこの段階ですべてのＣＣで、すなわち時には個別のＣＣであり、そして時にはすべてのＣＣで同時に、スケジューリングされる準備が整う。よって、この段階で、ＵＥが構成されている複数のＤＬコンポーネントキャリア又はセルで利用可能なＳＩが存在する。しかしながら、上述のように、この必要なＳＩは、キャリアアグリゲーションの能力を欠くＲｅｌ−８版ＵＥのような単一セルモードで動作しているＵＥにも関連する。このような単一セル動作に関連するＳＩの一部は有効でなく、有用でなく、場合によっては後述されるようにキャリアアグリゲーション動作の柔軟性への不要な制限となる結果を生じうるので有害でさえありうることが生じうる。よって、これらの問題は、例えば単一セル動作に関するＳＩは後方互換性を提供するためにすべてのセルにおいて報知されるものの、セルがキャリアアグリゲーションに用いられるべきである場合にこの単一セルＳＩが最適でないことである。
【００２０】
ここで、ＤＬ及びＵＬの構成の両方を含む１つのセル、すなわちプライマリセルにＵＥがまず接続されており、ＵＥがセカンダリセルの追加の１つのＤＬキャリアを集約するように構成される上述の例を想定する。さらに、ＤＬキャリアに関するＳＩが集約される両方のセルにおいて報知されることを想定する。しかしながら、上述のように、セルのそれぞれで報知されるＳＩは単一キャリア動作にも関するＳＩを提供する。よって、セカンダリセルにおいて報知されるＳＩは、例えばＵＬ帯域幅及び周波数、ＲＡＣＨ、ＰＵＣＣＨ及びＰＵＳＣＨのパラメータを含む、対応するＵＬ構成に関する情報を含むだろう。よって、集約された複数のキャリアで動作しているＵＥが、プライマリセル及びセカンダリセルの両方において報知されるＳＩを読み取って従うことを要求されるならば、これは結果として、ＵＥが必然的に単一セル動作についての対応するすべてのパラメータも構成する状況になるだろう。
【００２１】
以下の例で、ＲＢＳは３つのセルにおける３つのＵＬ・ＤＬキャリアを制御しており、以下ではＵＬ１／ＤＬ１／セル１、ＵＬ２／ＤＬ２／セル２、ＵＬ３／ＤＬ３／セル３と表される。単一セルモードで動作する場合に、ＵＬ１がＤＬ１と一緒に動作し、ＵＬ２がＤＬ２と一緒に動作し、ＵＬ３がＤＬ３と一緒に動作するようにキャリアが結合される。よって、図２ｃに説明されるように、ＵＬｘ／ＤＬｘに関する任意のＳＩがセルｘにおいて報知される。この例は、ＴＤＤモードの場合であるＵＬｘがＤＬｘと同じ周波数であることを除外しないことに留意されたい。
【００２２】
ＵＥがＤＬ２によって規定されるセル２に接続されること、すなわちＵＥ３１０が既知のＲｅｌ−８手順に従い、必要なＳＩをＤＬ２で読み取り、ＵＬ送信についてＵＬ２を用いること（図３ｂのシグナリング図の状態３０４）を想定する。さらに、ＵＥがより広いＤＬ帯域幅を必要とするとｅＮＢが結論付けたので、ｅＮＢ３２０はこの段階で２つの追加のＤＬキャリアでＵＥ３１０を構成したい。ｅＮＢは３０５で、既存のＤＬ２に追加してＵＥがセル１のＤＬ１とセル３のＤＬ３とを付加的に使用しても良いという情報を含む構成メッセージを送信する。しかしながら、既存の技術に従って、セル１及びセル３において報知される必要なＳＩもＵＥがこの段階で読み取るならば、ＵＥは対応するＵＬ構成、すなわちＵＬ１及びＵＬ３も考慮に入れるだろう。この場合にｅＮＢはＤＬキャリアを集約し、且つＵＥが必要とするものを大幅に超える追加のＵＬ帯域幅でＵＥを構成しないことの理由を見つけるだけであるので、これは明らかに望ましくない。よって、既存の技術は、単一セル動作に関するＳＩがキャリアアグリゲーション動作について制限的になりすぎる場合があるという点で柔軟性を提供しない。
【００２３】
別の例は、例えばランダムアクセス（ＲＡ）構成に関する。ここで、ＵＬとＤＬとの両方における集約された２つのセル、例えばセル１のＵＬ１／ＤＬ１とセル２のＵＬ２／ＤＬ２とでＵＥが構成されていることを想定する。この場合に、両方のセルで報知されるキャリア周波数及び帯域幅に関するＳＩパラメータが関連する。しかしながら、両セルのＳＩは、両方のＵＬキャリアのＲＡを実行する可能性をＵＥに提供するＲＡパラメータを含む。ｅＮＢは利用可能なＵＬのうちの特定の１つだけでＲＡを実行するようにＵＥを制限したいことがありうる。ＵＥは両方のセルでＲＡパラメータを含むＳＩを読み取り、それ故、両方のＵＬでＲＡを実行するので、現在の技術でこれは可能ではない。
【００２４】
別の例は例えばＰＵＣＣＨ制御に関する。ＵＥに対して構成されたＵＬキャリア及びＤＬキャリアの個数にかかわらず、１つの単一ＵＬキャリアですべてのＰＵＣＣＨ制御情報を提供することを可能にすべきであることが最近合意された。上述の例では、各セルは独立なＰＵＣＣＨパラメータを提供するだろう。しかしながら、ＵＥはセルのうちの１つにおいて報知されるＰＵＣＣＨパラメータだけに従うべきである。
【００２５】
更に別の例はタイマ及び定数に関する。集約されたセルのそれぞれは互いに異なる値でありうる独立したタイマ及び定数値を提供しうる。しかしながら、タイマ及び定数はＵＥごとではなくセルごとに関連しないかもしれない。ＵＥは例えば値Ｔ１に到達した場合に失効する単一のタイマｔ１だけを管理しうるが、すべてのセルでのＳＩはこのＴ１について様々な値を提供し、これらの値のうちのどの１つをＵＥが適用すべきかが不明である。
【発明の概要】
【発明が解決しようとする課題】
【００２６】
従って、本発明の実施形態の１つの目的は上述の問題に対処することであり、キャリアアグリゲーションをサポートする無線通信システムにおいて複数のセルで報知（または同報：Broadcast）されるシステム情報を適用するための解決策を提供することである。この目的及び他の目的は独立請求項に従う方法及び装置と、従属請求項に従う実施形態とによって達成される。
【課題を解決するための手段】
【００２７】
本発明の実施形態の第１側面によれば、キャリアアグリゲーションをサポートする無線通信システムにおけるユーザ機器についての方法が提供され、システムは２つ以上のセルにおいてシステム情報を報知するように構成された無線基地局を備える。本方法は、無線基地局から２つのセルのアグリゲーションのための構成情報を受信するステップを有する。これはまた、２つのセルのうちの第１セルが残りのセルの状態とは異なる状態を有することを示す構成規則に基づいて、２つのセルのうちの第１セルを識別するステップと、識別したセルにおいてのみ、報知されたシステム情報を読み取るステップとを有する。
【００２８】
本発明の実施形態の第２側面によれば、キャリアアグリゲーションをサポートする無線通信システムにおける無線基地局についての方法が提供され、無線基地局は集約された２つ以上のセルにおいてユーザ機器へデータを送信できる。本方法は、２つのセルにおいてシステム情報を報知するステップと、ユーザ機器へ２つのセルのアグリゲーションのための構成情報を送信するステップとを有する。異なる状態を有するセルにおいてのみ、ユーザ機器が報知されたシステム情報を読み取るために、構成情報は２つのセルのうちの第１セルが残りのセルの状態とは異なる状態を有することを示す構成規則を含む。
【００２９】
本発明の実施形態の第３側面によれば、キャリアアグリゲーションをサポートする無線通信システムにおいて用いられるように構成されたユーザ機器が提供される。システムは２つ以上のセルにおいてシステム情報を報知するように構成された無線基地局を備える。ユーザ機器は、無線基地局からセルのアグリゲーションのための構成情報を受信するように適合された受信部を備える。これはまた、２つのセルのうちの第１セルが残りのセルの状態とは異なる状態を有することを示す構成規則に基づいて、２つのセルのうちの第１セルを識別するように適合された識別部と、識別したセルにおいてのみ、報知されたシステム情報を読み取るように適合された読み取り部とを備える。
【００３０】
本発明の実施形態の第４側面によれば、キャリアアグリゲーションをサポートする無線通信システムにおいて用いられるように構成された無線基地局が提供される。無線基地局は集約された２つ以上のセルにおいてユーザ機器へデータを送信でき、２つのセルにおいてシステム情報を報知するように適合された報知部を備える。これはまた、ユーザ機器へ２つのセルのアグリゲーションのための構成情報を送信するように適合された送信部であって、異なる状態を有するセルにおいてのみ、ユーザ機器が報知されたシステム情報を読み取るために、構成情報は２つのセルのうちの第１セルが残りのセルの状態とは異なる状態を有することを示す構成規則を含む、送信部を備える。
【発明の効果】
【００３１】
本発明の実施形態の利点は、単一セル動作とキャリアアグリゲーション動作との両方に共通な構成情報をすべてのＵＥが読み取って従うが、追加のパラメータ及び規則がキャリアアグリゲーションモードで動作するＵＥに提供されるような柔軟な方法でのキャリアアグリゲーションを可能にすることである。
【００３２】
本発明の実施形態の別の利点は、シグナリングのオーバヘッドを最小化しうるようなシグナリングの効率的な方法が提供されることである。
【００３３】
本発明の他の目的、利点及び新規な特徴は添付の図面と組み合わせて検討した場合に本発明の以下の詳細な説明から明らかになるだろう。
【図面の簡単な説明】
【００３４】
【図１】図１は、本発明が実施されても良い従来の無線アクセスネットワークを概略的に説明する図である。
【図２ａ】図２ａは、キャリアアグリゲーションを概略的に説明する図である。
【図２ｂ】図２ｂは、キャリアアグリゲーションを概略的に説明する図である。
【図２ｃ】図２ｃは、例示の上りリンクキャリア及び下りリンクキャリアと、対応するシステム情報のフローを概略的に説明する図である。
【図３ａ】図３ａは、ＲＲＣ接続再構成手順についてのシグナリング図を説明する図である。
【図３ｂ】図３ｂは、ＲＲＣ接続再構成手順についてのシグナリング図を説明する図である。
【図４】図４は、本発明の実施形態に従うユーザ機器における方法のフローチャートである。
【図５】図５は、本発明の実施形態に従う無線基地局における方法のフローチャートである。
【図６ａ】図６ａは、本発明の実施形態に従うユーザ機器のブロック図を概略的に説明する図である。
【図６ｂ】図６ｂは、本発明の実施形態に従うユーザ機器制御部のブロック図を概略的に説明する図である。
【図７ａ】図７ａは、本発明の実施形態に従う無線基地局のブロック図を概略的に説明する図である。
【図７ｂ】図７ｂは、本発明の実施形態に従う無線基地局制御部のブロック図を概略的に説明する図である。
【図８】図８は、本発明の実施形態に従うユーザ機器及びｅＮＢのブロック図を概略的に説明する図である。
【発明を実施するための形態】
【００３５】
所定の実施形態及び添付の図面を参照して以下に本発明がより詳細に記載される。説明のためであって限定のためではなく、本発明の完全な理解を提供するために特定のシナリオや技術のような特定の詳細が説明される。しかしながら、これらの特定の詳細から逸脱する他の実施形態で本発明が実施されても良いことが当業者には明らかだろう。
【００３６】
さらに、本明細書で説明される機能及び手段はプログラム式マイクロプロセッサ又は汎用コンピュータと連携して機能するソフトウェアを用いて実施されても良いし、及び／又は特定用途向け集積回路（ＡＳＩＣ）を用いて実施されても良いことを当業者は理解するだろう。本発明は主に方法及び装置の形式で記載されるが、本発明はコンピュータプログラム製品だけでなく、コンピュータプロセッサと当該プロセッサに結合されたメモリとを有し、本明細書に開示される機能を実行しうる１つ以上のプログラムが当該メモリに符号化されたシステムにおいて具現化されても良いことが理解されるだろう。
【００３７】
特定の例示のシナリオを参照して以下に本発明の実施形態が記載される。本発明の特定の実施形態は限定的でない汎用的な文脈でＥ−ＵＴＲＡＮに関連して記載される。しかしながら、本発明及びその実施形態はまた、キャリアアグリゲーションを用いるように構成された他のタイプの無線アクセスネットワークに適用されても良いことに留意されるべきである。本明細書で用いられる表記法及び用語は変更されてもよく、本発明の実施形態の適用可能性を如何なる意味でも限定しないことに留意されるべきである。
【００３８】
本発明の実施形態では、無線通信システムのセルにおいて報知されるシステム情報（ＳＩ）がキャリアアグリゲーションモードで動作するＵＥに適合していないという問題は、２つのセルを集約するようにｅＮＢによって構成される場合に、複数のセルのうちのどの１つのセルにおいて報知されるＳＩを読み取るべきかを識別するための構成規則をＵＥが適用するという解決策によって対処される。構成規則は専用の構成メッセージでｅＮＢによって提供されても良いし、この専用のメッセージはまた、報知されたＳＩが読み取られないセルの構成に必要な構成パラメータを含んでも良い。
【００３９】
本発明の１つ以上の実施形態では、ｅＮＢは、構成パラメータの集合を有するＳＩを報知し、集約されるセルの１つだけにおいて報知されたＳＩをＵＥが適用できるようにする情報をキャリアアグリゲーションモードで動作しているＵＥへ送信するように構成される。
【００４０】
本発明の別の実施形態では、キャリアアグリゲーションモードで動作しているＵＥへ送信される情報は、
‐専用の情報として送信され、及び／又は
‐読み取られないセルの一部からのＳＩパラメータを置換するパラメータを含み、及び／
又は
‐複数のキャリアのうちの１つからのＳＩに従うようにＵＥを制御する。
【００４１】
よって、本発明の実施形態は、特定のＤＬキャリアで提供される如何なるＳＩにもＵＥが従わず、すべての関連情報が専用のシグナリングで提供される解決策を含む。
【００４２】
例を用いて本発明の実施形態の詳細が説明される。ＵＬ１／ＤＬ１／セル１、ＵＬ２／ＤＬ２／セル２、及びＵＬ３／ＤＬ３／セル３と表される３つのセルにおける３つのＵＬキャリア及びＤＬキャリアをｅＮＢが制御する上述の例をここでも想定する。ＤＬキャリアは、セルｘのＤＬｘで提供されるＳＩでＵＬｘが構成されるように、各ＤＬ＆ＵＬペアに関するＳＩを提供する。ここで、ＵＥは第１ＤＬキャリア（例えば、セル１及びＤＬ１）上のＳＩによって規定されるセルへの接続を確立している。すなわち、確立の後に、ＵＥはＵＬ１で送信しＤＬ１で受信するように準備（すなわち、スケジューリング）される。
【００４３】
ここで、典型的に、ＵＥが使用を考慮に入れることが想定される追加のＤＬ２に関する情報を含むＲＲＣ接続再構成メッセージを送信することによって、セル２の下りリンクＤＬ２も使用するようにｅＮＢはＵＥを構成する。ここで、セル１はプライマリセルであり、セル２はセカンダリセルである。本発明の１つの実施形態によれば、ｅＮＢはここで、専用の構成メッセージをＵＥへ送信してもよく、当該メッセージはＤＬ２キャリアに関するパラメータを含む。この専用の構成メッセージは例えばＲＲＣ接続再構成メッセージに含まれても良い。よって、ＵＥは、構成メッセージを受信した後に、ＤＬ１のＳＩだけを読み取ったとしても、ＤＬ１とＤＬ２との両方のデータを受信する準備が整う。
【００４４】
本発明の別の実施形態によれば、ｅＮＢは複数の下りリンクキャリア又はセル（この例ではＤＬ１〜３／セル１〜３）でＳＩを報知し、これらはそれぞれ同じパラメータの集合を提供する。パラメータは、例えばタイマ及び定数であるが、これらに限定されない。ｅＮＢはまた、パラメータの複数の集合のうちのどれが使用されるべきかに関する情報、すなわちどのセルにおいてＵＥがＳＩを読み取るべきかに関する情報を提供する。当該情報は構成規則に含まれ、セルのうちの１つは他の構成されたセルとは異なる状態が与えられ、その結果、ＵＥは異なる状態を有するセルから取得されたパラメータに従う。
【００４５】
１つの実施形態では、異なる状態を有するセルはプライマリセルであり、従ってＵＥはプライマリセル、すなわち上述の例ではセル１において報知されるＳＩだけを読み取るだろう。更に別の実施形態ではどのセルがプライマリセルであるかの構成が時間の経過と共に変わるかもしれないので、ｅＮＢによって提供される情報はまた、どのセルがプライマリセルであるかの表示を含む。最初にプライマリセルであったもの（この例ではセル１）は、例えば接続の後半の段階でセカンダリセルになっていることがわかるかもしれない。
【００４６】
図４は本発明の１つの実施形態に従うキャリアアグリゲーションをサポートする無線通信システムのＵＥについての方法のフローチャートである。システムは、自身がサービスを提供するすべてのセルにおいてシステム情報を報知するように構成されたｅＮＢのようなＲＢＳを含む。ｅＮＢはまた、自身がサービスを提供するセルを集約できる。フローチャートで説明される方法は以下のステップを有する。
‐４１０：ｅＮＢから２つ以上のセルのアグリゲーションのための構成情報を受信する。この例では、ただ２つのセルが集約される。第１実施形態では、構成情報は、ＵＥが集約しうる２つのセルに関する情報を含むＲＲＣ接続再構成メッセージのような専用のメッセージにおいて受信されても良い。
‐４２０：２つのセルのうちの第１セルが残りのセルの状態とは異なる状態を有することを示す構成規則に基づいて２つのセルのうちの第１セルを識別する。第２実施形態では、構成規則は受信した構成情報に含まれても良い。しかしながら、これは事前に規定された構成規則であってもよく、これによりシグナリングオーバヘッドが低減する。
‐４３０：識別されたセルだけにおいて、報知（同報）されたＳＩを読み取る。
【００４７】
本発明の第３実施形態では、異なる状態を有するセルはプライマリセルであり、これはＳＩが読み取られるべきであるセルとして識別されるのはプライマリセルであることを意味する。さらに、第４実施形態では、受信した構成情報はまた、集約されるセルのうちのどの１つがプライマリセルであるか、（または、より一般的に、集約されるセルのうちのどの１つが異なる状態を有するセルであるか）の表示を含む。これが必要なのは、以前はセカンダリセルであった別のセルがプライマリセルとして構成されることを意味するプライマリセルの変更をｅＮＢが行うことが可能だからである。よって、この変更は、構成規則に基づいてＳＩが読み取られるべきである正しいセルをＵＥが識別するために、ＵＥへ通知されなければならないだろう。第５実施形態では、構成情報はまた、残りのセル、例えばセカンダリセルにおいて報知されるＳＩパラメータの代わりに用いられる構成パラメータを含んでも良い。セカンダリセルにおいて報知されたＳＩはＵＥによって読み取られないので、ＵＥはその代わりに、構成情報で通知された構成パラメータを用いて、集約されたセルにおけるＵＬ及びＤＬの適切な構成を行うだろう。上述の第１実施形態から第５実施形態は任意の可能な方法で組み合わされても良い。
【００４８】
本方法はオプションとして、４４０で、読み取ったＳＩから取得された少なくとも１つのパラメータに従う（または、このパラメータを適用する）ステップも含む。よって、１つの実施形態では、ＵＥはプライマリセルにおいて報知された少なくとも１つのパラメータを読み取って、これに従う。読み取って従うこれらのパラメータは、キャリアアグリゲーションモードのＵＥに有効なパラメータであり、必要なすべての他の構成パラメータは例えば専用の構成メッセージに含まれても良い。
【００４９】
図５は図４を参照して上述された本発明の第２実施形態に従うキャリアアグリゲーションをサポートする無線通信システムにおけるＲＢＳについての方法のフローチャートである。ＲＢＳは例えばＥ−ＵＴＲＡＮにおけるｅＮＢであっても良い。ｅＮＢは２つの集約されたセルにおいてデータをＵＥへ送信できる。フローチャートで説明される方法は以下のステップを有する。
‐５１０：両方のセルにおいてＳＩを報知（同報）する。セルにおいて報知されるＳＩは当該セルに関する構成パラメータを含む。
‐５２０：２つのセルのアグリゲーションのための構成情報をユーザ機器へ送信する。構成情報は、２つのセルのうちの第１セルが残りのセルの状態とは異なる状態を有することを示す構成規則を含む。これは、上述のように、異なる状態を有するセルのみにおいて、報知されたシステム情報をユーザ機器が読み取るために行われる。第１実施形態では、構成情報は専用のメッセージにおいて送信される。図４を参照して上述された１つの実施形態では、構成規則は事前に規定されており、送信される構成情報に含まれる必要はなく、これによりシグナリングが低減する。
【００５０】
本発明の第３実施形態では、異なる状態を有するセルはプライマリセルである。さらに、第４実施形態では、送信される構成情報はまた、集約されるセルのうちのどの１つのセルがプライマリセルかの表示（すなわち、集約されるセルのうちのどれが異なる状態を有するセルであるかの表示）を含む。第５実施形態では、構成情報はまた、残りのセル、例えばセカンダリセルにおいて報知されるＳＩパラメータの代わりに用いられる構成パラメータを含む。上述の第１実施形態から第５実施形態は任意の可能な方法で組み合わされても良い。
【００５１】
図６ａは本発明の実施形態に従うＵＥ１５０の簡略化したブロック図であり、ＤＬで受信した制御情報を制御部６２へ転送する送受信部６１に接続されたアンテナを開示する。制御部６２は受信したＳＩに従ってＵＥの動作を制御するＳＩ部を備える。これはまた、受信した追加構成情報に従ってキャリアアグリゲーション動作におけるＵＥの動作を制御する追加情報部を備える。制御部６２、追加情報部及びＳＩ部はハードウェアによって実装されても良いし、ソフトウェアによって実装されても良いし、この２つの組合せによって実装されても良い。
【００５２】
図６ｂは本発明の実施形態に従うハードウェア及びソフトウェアの組合せで実装される制御部６２を説明するブロック図である。これは、プロセッサ部６２０と、送受信部へのインタフェース６２４とを備える。さらに、制御部６２は例えばＥＥＰＲＯＭ、フラッシュメモリ及びディスクドライブである不揮発性メモリの形式の少なくとも１つのコンピュータプログラム製品６２１を備える。コンピュータプログラム製品６２１は、プロセッサ部６２０で実行された場合に、図４に関連して上述された手順又は方法のステップをプロセッサ部６２０に実行させるコード手段を含むコンピュータプログラムを有する。
【００５３】
図７ａは本発明の実施形態に従うＲＢＳ１１０の簡略化したブロック図であり、アンテナに接続され、制御部７２によって制御される送受信部７１を開示し、制御部７２はとりわけ、どの制御情報が送受信部７１から送信されるかを制御する。制御部７２は、報知されるＳＩを制御するＳＩ部を備える。これはまた、キャリアアグリゲーション動作のＵＥへ送信される情報を制御する追加情報部を備える。制御部７２、追加情報部及びＳＩ部はハードウェアによって実装されても良いし、ソフトウェアによって実装されても良いし、この２つの組合せによって実装されても良い。
【００５４】
図７ｂは本発明の実施形態に従うハードウェア及びソフトウェアの組合せで実装される制御部７２を説明するブロック図である。これは、プロセッサ部７２０と、送受信部へのインタフェース７２４とを備える。さらに、制御部は例えばＥＥＰＲＯＭ、フラッシュメモリ及びディスクドライブである不揮発性メモリの形式の少なくとも１つのコンピュータプログラム製品７２１を備える。コンピュータプログラム製品７２１は、プロセッサ部７２０で実行された場合に、図５に関連して上述された手順のステップをプロセッサ部７２０に実行させるコード手段を含むコンピュータプログラムを有する。
【００５５】
本発明の実施形態に従うＵＥ１５０及びＲＢＳ１１０が図８に概略的に説明される。これらは、ＬＴＥのようなキャリアアグリゲーションをサポートする無線通信システムにおいて用いられるように構成される。ＲＢＳ１１０は例えばＥ−ＵＴＲＡＮにおけるｅＮＢであってもよく、２つ以上のセルにおいてＳＩを報知するように構成される。ＵＥ１５０はｅＮＢ１１０から例えば２つのセルのアグリゲーションのための構成情報を受信するように適合された受信部１５１を備える。これはまた、２つのセルのうちの第１セルが残りの第２セルの状態とは異なる状態を有することを示す構成規則に基づいて２つのセルのうちの第１セルを識別するように適合された識別部１５２と、識別されたセル、すなわち第１セルにおいてのみ、報知されたＳＩを読み取るように適合された読み取り部１５３とを備える。本発明の１つの実施形態では、ＵＥ１５０はさらに、識別されたセルにおいて読み取ったＳＩから取得された１つ以上のパラメータに従うように適合する構成部１５４を備える。
【００５６】
本発明の実施形態に従うｅＮＢ１１０が図８で説明され、ｅＮＢ１１０は少なくとも２つの集約されたセルにおいてデータをＵＥ１５０へ同時に送信するように適合される。ｅＮＢは少なくとも２つのセルにおいてシステム情報を報知するように適合された報知部（同報部）１１１と、例えば２つのセルのアグリゲーションのための構成情報をユーザ機器へ送信するように適合された送信部１１２とを備える。本発明の第２実施形態では、構成情報は２つのセルの第１セルが残りのセルの状態とは異なる状態を有することを示す構成規則を含む。本発明の第３実施形態では、異なる状態を有するセルはプライマリセルである。さらに、第４実施形態では、構成情報は、集約されるセルのどの１つのセルがプライマリセルであるかの表示、すなわちより一般的には集約されるセルのどれが異なる状態を有するセルであるかの表示を含む。第５実施形態では、構成情報はまた、残りのセル、例えばセカンダリセルにおいて報知されるＳＩパラメータの代わりに用いられる構成パラメータを含む。上述の第１実施形態から第５実施形態は任意の可能な方法で組み合わされても良い。
【００５７】
ユニット１５２〜１５４は例えばプロセッサ、マイクロプロセッサ、ＡＳＩＣ等を含む処理ロジックに統合された回路であっても良いし、別個のユニット／回路であっても良い。本発明の実施形態は多くの方法で実現されうる。例えば、１つの実施形態は無線通信システムのＵＥ及び／又はＲＢＳで実行可能な命令を有するコンピュータで読み取り可能な記憶媒体を含む。当該命令は上述の本発明の方法のステップを実行する。
【００５８】
本明細書に記載された実施形態はハードウェア回路とソフトウェアとの如何なる特定の組合せにも限定されないことに留意されるべきである。上述の実施形態は例として与えられただけであり、本発明を限定するべきではない。特定の用語が本明細書で採用されうるが、これらは汎用的で説明の意味でのみ用いられ、限定する目的では用いられない。
【産業上の利用可能性】
【００５９】
本発明は、本発明は一般的にキャリアアグリゲーションをサポートする無線通信システムにおける方法及び装置に利用できる。
【符号の説明】
【００６０】
６１、７１  送受信部（ＴＲＸ）
６２、７２  制御部
１１０ａ、１１０ｂ、１１０ｃ  無線基地局（ＲＢＳ）
１１１  報知（同報）部
１１２  送信部
１５０  ＵＥ
１５１  受信部
１５２  識別部
１５３  読み取り部
１５４  構成部
【図１】
2015164352.tif 000003
【図２ａ】
2015164352.tif 000004
【図２ｂ】
2015164352.tif 000005
【図２ｃ】
2015164352.tif 000006
【図３ａ】
2015164352.tif 000007
【図３ｂ】
2015164352.tif 000008
【図４】
2015164352.tif 000009
【図５】
2015164352.tif 000010
【図６ａ】
2015164352.tif 000011
【図６ｂ】
2015164352.tif 000012
【図７ａ】
2015164352.tif 000013
【図７ｂ】
2015164352.tif 000014
【図８】
2015164352.tif 000015